(57)【要約】【課題】吸込口本体の前進時および後退時に、塵埃を効率よく吸い込むことができる吸込口体を提供する。【解決手段】塵埃吸込室が設けられ且つ底面に前記塵埃吸込室への吸込開口１５が設けられた吸込口本体１１と、吸込開口１５の前方に回動自在に設けられ、吸込口本体１１の移動に伴って被清掃面との間に生じる摩擦力により回動駆動される前部回動体２０とを備え、前部回動体２０は、吸込口本体１１の前進時には前進方向に対応して順方向に回動されて被清掃面との間に間隙を形成し、吸込口本体１１前方の外部空間と吸込開口１５とを前記間隙を介して連通させ、吸込口本体１１の後退時には後退方向に対応して順方向に回動されて被清掃面に密着し、吸込口本体１１前方の外部空間と吸込開口１５との連通を遮断する。【選択図】　　　　図２
2004016424.tif 000002
【特許請求の範囲】
【請求項１】
塵埃吸込室が設けられ且つ底面に前記塵埃吸込室への吸込開口が設けられた吸込口本体と、前記吸込開口の前方に回動自在に設けられ、吸込口本体の移動に伴って被清掃面との間に生じる摩擦力により回動駆動される前部回動体とを備え、
前記前部回動体は、前記吸込口本体の前進時には前進方向に対応して順方向に回動されて被清掃面との間に間隙を形成し、吸込口本体前方の外部空間と前記吸込開口とを前記間隙を介して連通させ、前記吸込口本体の後退時には後退方向に対応して順方向に回動されて被清掃面に密着し、吸込口本体前方の外部空間と前記吸込開口との連通を遮断することを特徴とする吸込口体。
【請求項２】
塵埃吸込室が設けられ且つ底面に前記塵埃吸込室への吸込開口が設けられた吸込口本体と、前記吸込開口の後方に回動自在に設けられ、吸込口本体の移動に伴って被清掃面との間に生じる摩擦力により回動駆動される後部回動体とを備え、
前記後部回動体は、前記吸込口本体の後退時には後退方向に対応して順方向に回動されて被清掃面との間に間隙を形成し、吸込口本体後方の外部空間と前記吸込開口とを前記間隙を介して連通させ、前記吸込口本体の前進時には前進方向に対応して順方向に回動されて被清掃面に密着し、吸込口本体後方の外部空間と前記吸込開口との連通を遮断することを特徴とする吸込口体。
【請求項３】
塵埃吸込室が設けられ且つ底面に前記塵埃吸込室への吸込開口が設けられた吸込口本体と、前記吸込開口の前方に回動自在に設けられ、吸込口本体の移動に伴って被清掃面との間に生じる摩擦力により回動駆動される前部回動体と、前記吸込開口の後方に回動自在に設けられ、吸込口本体の移動に伴って被清掃面との間に生じる摩擦力により回動駆動される後部回動体とを備え、
前記前部回動体は、前記吸込口本体の前進時には前進方向に対応して順方向に回動されて被清掃面との間に間隙を形成し、吸込口本体前方の外部空間と前記吸込開口とを前記間隙を介して連通させ、前記吸込口本体の後退時には後退方向に対応して順方向に回動されて被清掃面に密着し、吸込口本体前方の外部空間と前記吸込開口との連通を遮断する一方、
前記後部回動体は、前記吸込口本体の後退時には後退方向に対応して順方向に回動されて被清掃面との間に間隙を形成し、吸込口本体後方の外部空間と前記吸込開口とを前記間隙を介して連通させ、前記吸込口本体の前進時には前進方向に対応して順方向に回動されて被清掃面に密着し、吸込口本体後方の外部空間と前記吸込開口との連通を遮断することを特徴とする吸込口体。
【請求項４】
請求項１〜３のいずれか１項に記載の吸込口体において、
前記両回動体には、被清掃面との密着面に被清掃面を払拭する払拭部材が設けられていることを特徴とする吸込口体。
【請求項５】
請求項１〜４のいずれか１項に記載の吸込口体を有することを特徴とする電気掃除機。
【発明の詳細な説明】
【０００１】
【発明の属する技術分野】
本発明は、吸込口本体前方の塵埃を効率よく吸い込むために、吸込開口の前方に開口部が設けられた吸込口体、およびこの吸込口体を用いた電気掃除機に関する。
【０００２】
【従来の技術】
一般に電気掃除機の吸込口体には塵埃吸込室を有する吸込口本体が設けられ、この吸込口本体の底面には塵埃吸込室へ連通した吸込開口が形成されている。このような吸込口体において、吸込開口の前方に開口部が形成されたものが知られている。吸込開口の前方に開口部が形成されていれば、掃除の際に、吸込口本体を前進させて、吸込口本体の前方にある塵埃を開口部を介して効率よく吸い込むことができ、清掃の作業効率が向上する。
【０００３】
【発明が解決しようとする課題】
しかしながら、上記従来の技術では、吸込開口の前方に形成された開口部が、吸込口本体の前進時または後退時のどちらの場合も開口されたままであるので、開口部を介して吸込開口へ流入する空気量の分だけ吸込開口での空気流速が遅くなり、吸込開口における吸引力が低下して、塵埃を効率よく吸い込むことができないという問題がある。
【０００４】
本発明の課題は、吸込口本体の前進時および後退時に、塵埃を効率よく吸い込むことができる吸込口体、およびその吸込口体を有する電気掃除機を提供することにある。
【０００５】
【課題を解決するための手段】
上記課題を解決するために、本発明の特徴は、吸込開口の前方および後方の少なくとも一方に、吸込口本体の移動方向に応じて吸込開口への外部空気の流入を制限する手段を設けたことである。例えば、本発明は、塵埃吸込室が設けられ且つ底面に前記塵埃吸込室への吸込開口が設けられた吸込口本体と、前記吸込開口の前方に回動自在に設けられ、吸込口本体の移動に伴って被清掃面との間に生じる摩擦力により回動駆動される前部回動体とを備え、前記前部回動体は、前記吸込口本体の前進時には前進方向に対応して順方向に回動されて被清掃面との間に間隙を形成し、吸込口本体前方の外部空間と前記吸込開口とを前記間隙を介して連通させ、前記吸込口本体の後退時には後退方向に対応して順方向に回動されて被清掃面に密着し、吸込口本体前方の外部空間と前記吸込開口との連通を遮断することを特徴としている。
【０００６】
上記構成によれば、吸込口本体を前進させると、前部回動体は被清掃面との間の摩擦力によって前進方向に対応して順方向に回動され、被清掃面との間に間隙が形成されて、この間隙を介して吸込口本体前方の外部空気が吸込開口に流入する。このとき、吸込口本体前方にある塵埃も外部空気と共に吸込開口に流入する。また、吸込口本体を後退させると、前部回動体は被清掃面との間の摩擦力によって後退方向に対応して順方向に回動され、被清掃面に密着して、吸込口本体前方の外部空気が吸込開口へ流入するのが制限される。これによって、吸込開口における吸引力の低下を抑えることができ、塵埃を効率よく吸い込むことが可能となる。
【０００７】
【発明の実施の形態】
以下、本発明の実施の形態を図面に従って説明する。
図１は、本発明に係る電気掃除機の全体斜視図である。図１において、１は掃除機本体、２は掃除機本体１の図示してない集塵室に配設された紙パックフィルタ等の集塵袋、３は掃除機本体１の後部内に設けられて集塵室に吸込負圧を作用させる電動送風機である。また、４は掃除機本体１に接続されて集塵袋２に連通させられた集塵ホース、５は集塵ホース４の自由端部に設けられた手元操作管である。
【０００８】
この手元操作管５には操作パネル６が設けられ、また操作パネル６には電動送風機３の吸込風量を選択するスイッチ等が設けられている。さらに、手元操作管５には、延長管７を介して吸込口体１０が接続されている。吸込口体１０は、左右に伸びる吸込口本体１１と、吸込口本体１１の後部に装着された接続管８を有する。この接続管８は延長管７に接続されている。
【０００９】
（実施の形態１）
図２〜図５は実施の形態１を示している。本実施の形態においては、吸込口本体１１は、図４または図５に示すように外側に本体ケース１２が設けられ、この本体ケース１２は、下部ケース１３と、この下部ケース１３上に結合される上部ケース１４等から構成されている。
【００１０】
下部ケース１３の底面には、塵埃を吸引する吸込開口１５が開口されており、この吸込開口１５に回転ブラシ１６が回転可能に配置されている。この回転清掃体１６はブレード１６Ａおよびブラシ１６Ｂを有し、吸込口本体１１内に設けられたモータ（図示省略）により回転駆動される。なお、図２では回転ブラシ１６は省略されている。
【００１１】
また、図２に示すように、下部ケース１３の底面には、吸込口本体１１の移動に伴って回転する検知ローラ１７が設けられ、この検知ローラ１７の回転方向によって吸込口本体１１の前進や後退が検知される。そして、検知ローラ１７での検知結果の基づいて前記モータの回転方向が制御される。また、下部ケース１３の後部には後輪１８が取り付けられている。
【００１２】
本実施の形態では、吸込開口１５の前方に前部回動体２０が回動自在に設けられている。吸込口本体１１の前部先端には、吸込口本体１１前方の外部空間に連通する凹所２１が形成され、前部回動体２０は凹所２１内に配置されている。また、凹所２１と吸込開口１５との間には縦壁２２が設けられ、この縦壁２２の下端面は被清掃面Ｍとの間に隙間Ｇを形成している。
【００１３】
前部回動体２０は、図３に示すように略円柱形状をなし、その両端部と中央部に平坦面２３，２４，２５が形成され、平坦面２３と２５との間に円柱部２６が、平坦面２４と２５との間に円柱部２７がそれぞれ設けられている。また、中央部の平坦面２５には３個の突起２５Ａが形成されている。
【００１４】
前部回転体２０の両端面には支軸２８，２９が設けられ、これら支軸２８，２９は吸込口本体１１の前記凹所２１の両側壁面に回動自在に取り付けられる。また、前部回動体２０には、平坦面２３，２４，２５を除いた外周面に払拭部材２０Ａが貼り付けられ、凹所２１内に前部回動体２０が配置されたとき、凹所２１内面に払拭部材２０Ａが密着する。
【００１５】
なお、図には示してないが、前部回動体２０の両端面または凹所２１の両側壁面には、前部回動体２０の回動角度を、図５に示すように９０度の範囲に規制するストッパが設けられている。
【００１６】
また、本実施の形態では、下部ケース１３の前端部には、前部回動体２０を挟んで両側にカット部１３Ａ，１３Ｂが形成され、吸込口本体１１を勢い良く前進させてもゴミが詰まらないようになっている。
【００１７】
上記構成において、吸込口本体１１を前進させると、図４のように、前部回動体２０は被清掃面Ｍに密着して前進方向に対応して順方向（矢印で示す反時計回り方向）に回動駆動され、平坦面２５を下方に向けた状態となる。このとき、前部回動体２０の外周面に払拭部材２０Ａが貼り付けられているので、前部回動体２０は被清掃面Ｍとの間で生じる摩擦力により前進方向に対応して順方向に容易に回動する。これにより、前部回動体２０と被清掃面Ｍとの間には大きな隙間（隙間Ｇに略等しい）が形成されるため、吸込口本体１１前方の外部空間と吸込開口１５とが連通され、吸込口本体１１の前方にある外部空気は前記隙間を介して吸込開口１５に容易に流入でき、この外部空気の流入と共に吸込口本体１１の前方の塵埃が吸込開口１５内に吸い込まれる。
【００１８】
吸込口本体１１を後退させると、図５のように、前部回動体２０は被清掃面Ｍに密着して後退方向に対応して順方向（矢印で示す時計回り方向）に回動駆動され、平坦面２５を前方に向けた状態となる。このときも、前部回動体２０の外周面の払拭部材２０Ａが被清掃面Ｍとの間で摩擦力を生じ、前部回動体２０は後退方向に対応して順方向に容易に回動する。これにより、前部回動体２０の下部は被清掃面Ｍに密着し、また前部回動体２０の上部は凹所２１内面に近接しているので、吸込口本体１１の前方にある外部空気は吸込開口１５内に流入しにくくなくなり、その結果、吸込開口１５における負圧が高まって、吸込口本体１１を後退させる際の塵埃吸込力が向上する。
【００１９】
本実施の形態によれば、前部回動体２０の平坦面２５に３個の突起２５Ａが形成されているので、吸込口本体１１の前進時に形成される、平坦面２５と被清掃面Ｍとの間の隙間の流路断面積が小さくなり、外部空気の吸込開口１５への流入速度を増大させることができる。
【００２０】
（実施の形態２）
図６および図７は実施の形態２を示している。本実施の形態においては、後部回動体３０が吸込開口１５の後方に設けられている。すなわち、吸込開口１５の後方には凹所３１が形成され、この凹所３１内に後部回動体３０が回動自在に配置されている。後部回動体３０の形状は、図３に示した前部回動体２０と同様で、平坦面３５を有し、その平坦面３５上に突起３５Ａが設けられている。
【００２１】
また、本実施の形態でも、後部回動体３０の両端面または凹所３１の両側壁面には、後部回動体３０の回動角度を、図７に示すように９０度の範囲に規制するストッパが設けられている。
【００２２】
上記構成において、吸込口本体１１を後退させると、図６のように、後部回動体３０は被清掃面Ｍに密着して後退方向に対応して順方向（矢印で示す時計回り方向）に回動駆動され、平坦面３５を下方に向けた状態となる。これにより、後部回動体３０と被清掃面Ｍとの間には大きな隙間が形成されるため、吸込口本体１１の後方にある外部空気は前記隙間を介して吸込開口１５内に容易に流入でき、この外部空気の流入と共に吸込口本体１１の後方の塵埃が吸い込まれる。
【００２３】
吸込口本体１１を前進させると、図７のように、後部回動体３０は被清掃面Ｍに密着して前進方向に対応して順方向（矢印で示す反時計回り方向）に回動駆動され、平坦面３５を後方に向けた状態となる。これにより、後部回動体３０の下部は被清掃面Ｍに密着し、また後部回動体３０の上部は凹所３１内面に近接しているので、吸込口本体１１の後方にある外部空気は吸込開口１５内に流入しにくくなり、その結果、吸込開口１５における負圧が高まって、吸込口本体１１を前進させる際の塵埃吸込力が向上する。
【００２４】
（実施の形態３）
図８および図９は実施の形態３を示している。本実施の形態においては、吸込開口１５の前後に前部回動体２０および後部回動体３０が設けられている。すなわち、吸込開口１５の前方には実施の形態１で示した前部回動体２０が、吸込開口１５の後方には実施の形態２で示した後部回動体３０がそれぞれ回動自在に配置されている。
【００２５】
上記構成において、吸込口本体１１を前進させると、前部回動体２０および後部回動体３０は、図８に示すように、被清掃面Ｍに密着して前進方向に対応して順方向にそれぞれ回動駆動され、前部回動体２０は平坦面２５を下方に向けた状態に、後部回動体３０は平坦面３５を後方に向けた状態となる。このため、吸込口本体１１の前方にある外部空気は前部回動体２０の平坦面２５と被清掃面Ｍとの間の隙間を介して吸込開口１５内に容易に流入できるが、吸込口本体１１の後方にある外部空気は後部回動体３０に遮断されて吸込開口１５に流入しにくくなる。その結果、吸込開口１５内へ外部空気が流入し過ぎるのを抑制でき、吸込開口１５における負圧低下を防止できる。
【００２６】
また、吸込口本体１１を後退させると、前部回動体２０および後部回動体３０は、図９に示すように、被清掃面Ｍに密着して後退方向に対応して順方向にそれぞれ回動駆動され、前部回動体２０は平坦面２５を前方に向けた状態に、後部回動体３０は平坦面３５を下方に向けた状態となる。このため、吸込口本体１１の後方にある外部空気は後部回動体３０の平坦面３５と被清掃面Ｍとの間の隙間を介して吸込開口１５内に容易に流入できるが、吸込口本体１１の前方にある外部空気は前部回動体２０に遮断されて吸込開口１５に流入しにくくなる。その結果、この場合も吸込開口１５内へ外部空気が流入し過ぎるのを抑制でき、吸込開口１５における負圧低下を防止できる。
【００２７】
【発明の効果】
以上説明したように、本発明によれば、吸込口本体の前進時および後退時に、塵埃を効率よく吸い込むことが可能な吸込口体、およびその吸込口体を有する電気掃除機を得ることができる。
【図面の簡単な説明】
【図１】本発明に係る電気掃除機の全体斜視図である。
【図２】実施の形態１による吸込口本体の底面斜視図である。
【図３】前部回動体または後部回動体の斜視図である。
【図４】図２に示した吸込口本体の前進時における要部断面図である。
【図５】図２に示した吸込口本体の後退時における要部断面図である。
【図６】実施の形態２による吸込口本体の後退時における要部断面図である。
【図７】実施の形態２による吸込口本体の前進時における要部断面図である。
【図８】実施の形態３による吸込口本体の前進時における要部断面図である。
【図９】実施の形態３による吸込口本体の後退時における要部断面図である。
【符号の説明】
１　掃除機本体
１０　吸込口体
１１　吸込口本体
１５　吸込開口
２０　前部回動体
２０Ａ　払拭部材
２１　凹所
２５　平坦面
２５Ａ　突起
３０　後部回動体
３１　凹所
３５　平坦面
３５Ａ　突起
【図１】
2004016424.tif 000003
【図２】
2004016424.tif 000004
【図３】
2004016424.tif 000005
【図４】
2004016424.tif 000006
【図５】
2004016424.tif 000007
【図６】
2004016424.tif 000008
【図７】
2004016424.tif 000009
【図８】
2004016424.tif 000010
【図９】
2004016424.tif 000011